(57)【特許請求の範囲】
【請求項１】
反応性または腐食性を示す可能性のある歯科用材料を分注するための送達システムであって、
ピストン終端部およびはじめは封止されている送達先端終端部と、一定の直径の材料ボアと、該材料ボアが縮径するように移行して前記送達先端終端部に隣接する送達用ボアと、を有する材料カプセルと、
前記材料カプセル内に装填され、金属に対して反応性又は腐食性を示す反応性歯科用材料と、
該材料カプセルの前記ピストン終端部内に配置されるピストンと、
金属カニューレを含む送達先端と、
使用の準備ができるまで、前記反応性歯科用材料が前記金属カニューレと接触する又は近接する状態を阻止する前記送達先端を含む封止されたパウチと、
該送達先端を取り付けるために該材料カプセルの前記送達先端終端部上に形成される手段とを含み、
これにより該腐食性または反応性歯科用材料の分注前の前記金属製カニューレとの接触が阻止される、送達システム。
【請求項２】
該手段はスナップフィットを含む、請求項１に記載の反応性または腐食性を示す可能性のある歯科用材料を分注するための送達システム。
【請求項３】
前記スナップフィットは嵌合するショルダーを含む、請求項２に記載の反応性または腐食性を示す可能性のある歯科用材料を分注するための送達システム。
【請求項４】
該手段はねじ山を含む、請求項１に記載の反応性または腐食性を示す可能性のある歯科用材料を分注するための送達システム。
【請求項５】
該反応性歯科用材料は硫酸アルミニウムカリウム、硫酸アルミニウム、硫酸鉄、硫酸アンモニウムアルミニウムまたはミョウバン、塩化鉄、塩化アルミニウム、塩化ナトリウム、および塩化亜鉛からなる群から選択される、請求項１に記載の反応性または腐食性を示す可能性のある歯科用材料を分注するための送達システム。
【請求項６】
反応性または腐食性を示す可能性のある歯科用材料を金属製カニューレから分注するための送達システムであって、
シリンジと、
該シリンジ内に配置され、ピストン終端部および送達先端終端部と、一定の直径の材料ボアと、該材料ボアが縮径するように移行して前記送達先端終端部に隣接する送達用ボアと、を有する材料カプセルと、
該材料カプセルの前記送達先端終端部上に設置されるねじ山と、
該材料カプセルの前記送達先端終端部上に配置される封止と、
前記材料カプセル内に装填され、金属に対して反応性又は腐食性を示す反応性歯科用材料と、
該材料カプセルの前記ピストン終端部に配置されるピストンと、
第１の終端部および第２の終端部を有する送達先端と、
該送達先端の前記第１の終端部上に形成される金属製カニューレと、
使用の準備ができるまで、前記反応性歯科用材料が前記金属カニューレと接触する又は近接する状態を阻止する前記送達先端を含む封止されたパウチと、
該送達先端の前記第２の終端部上に形成される嵌合するねじ山であって、該嵌合するねじ山は、該材料カプセルの該送達先端終端部上に配置される該ねじ山と嵌合するねじ山とを含み、
これにより該腐食性または反応性歯科用材料は該材料カプセル内に分離して保持され、分注前の前記金属製カニューレとの接触または近接状態が阻止される、送達システム。
【請求項７】
該反応性歯科用材料は塩化アルミニウムを含む、請求項６に記載の反応性または腐食性を示す可能性のある歯科用材料を金属製カニューレから分注するための送達システム。 
【請求項８】
該材料カプセルの前記送達先端終端部上に配置されるねじ型キャップをさらに含む、請求項６に記載の反応性または腐食性を示す可能性のある歯科用材料を金属製カニューレから分注するための送達システム。
【請求項９】
該材料カプセルの前記送達先端終端部上に配置されるブレイクアウェイタブをさらに含む、請求項６に記載の反応性または腐食性を示す可能性のある歯科用材料を金属製カニューレから分注するための送達システム。
【請求項１０】
該ピストンは該材料カプセルの前記ピストン終端部に超音波溶接されており、該ピストンは所定の位置に保持されているが、該反応性歯科用材料を分注するために打壊して遊離させることができる、請求項６に記載の反応性または腐食性を示す可能性のある歯科用材料を金属製カニューレから分注するための送達システム。
【請求項１１】
反応性または腐食性を示す可能性のある歯科用材料を金属製カニューレから分注するための送達システムであって、
直径が一定の材料ボアおよび外側材料カプセル面を有し、前記材料ボアは入口端および分注端を有する材料カプセルと、
前記入口端に隣接して該材料カプセル上に形成される外側フランジと、
前記材料ボアの前記分注端に隣接して該材料カプセル内に形成される分岐した側壁尖部と、
前記材料ボアの前記分注端に隣接し、該分岐した側壁尖部から延在する、半径方向に狭小化する材料ボア移行内面であって、該半径方向に狭小化する材料ボア移行内面は口を備える材料送達用ボアに終わる半径方向に狭小化する材料ボア移行内面と、
前記材料ボアの前記分注端に隣接し、該分岐した側壁尖部から延在する半径方向に増大化する外側材料カプセル移行部面であって、該半径方向に増大化する外側材料カプセル移行部面は開口部を備える外側材料カプセル開口部面に終わり、該分岐した側壁尖部から前記開口部に向かって増大化する半径方向の寸法を有する間隙が該半径方向に狭小化する材料ボア移行部内面と該半径方向に増大化する外側材料カプセル移行部面の間に形成される、半径方向に増大化する外側材料カプセル移行部面と、
前記間隙内に、前記開口部に隣接する内側材料カプセル開口部面上に形成される雌ねじと、
該雌ねじに取り付けられる金属製カニューレを有する送達先端とを含み、
これにより前記腐食性または反応性歯科用材料は、該材料カプセル内に分離して保持され、分注前の前記金属製カニューレとの接触または近接状態が阻止される、送達システム。
【請求項１２】
前記開口部に隣接する前記外側材料カプセル開口部面上に配置されるグリップをさらに含む、請求項１１に記載の反応性または腐食性を示す可能性のある歯科用材料を金属製カニューレから分注するための送達システム。
【請求項１３】
該材料カプセル内に装填される圧排用歯科用材料をさらに含む、請求項１１に記載の反応性または腐食性を示す可能性のある歯科用材料を金属製カニューレから分注するための送達システム。
【請求項１４】
該圧排用歯科用材料は塩化アルミニウムおよびカオリンクレイを含む、請求項１１に記載の反応性または腐食性を示す可能性のある歯科用材料を金属製カニューレから分注するための送達システム。
【発明の詳細な説明】
【技術分野】
【０００１】
本発明は概して歯科用材料の分注に関し、より詳細には金属と反応する可能性のある歯科用材料の送達に関する。
【背景技術】
【０００２】
歯科診療においては、患者の口腔内の到達が困難な場所に少量の材料を正確に置くことがしばしば必要になる。これらの材料のいくつかを用いる作業は、それらの粘度またはそれらの反応性もしくは腐食性のために困難となる場合が多い。従って、様々な歯科用材料を配置する際に歯科医または歯科施術者を支援するための多くの器具が開発されている。
【先行技術文献】
【特許文献】
【０００３】
そうした発明の一つは１９９６年２月６日、Ｄｒａｇａｎらに対して発行された特許文献１、発明名称“Ｄｅｎｔａｌ  Ｃａｒｔｒｉｄｇｅ  Ｅｘｔｒｕｄｅｒ  ｗｉｔｈ  Ｒｉｇｉｄ  Ｄｒｏｐ  ｉｎ  Ｆｒｏｎｔ  Ｅｎｄ”において開示されている。この特許では、粘稠性の歯科用材料を押し出すための歯科用カートリッジ、カプセル、またはアンプルとの組み合わせにおいて使用される用手的歯科用押出し器具またはシリンジが開示されており、この特許の内容を参照によって本願明細書に引用したものとする。
【特許文献１】米国特許第５，４８９，２０７号明細書
【０００４】
さらに、 歯学分野においては、特定の応用のために各種のカプセルまたは先端が開発されている。そうしたカプセルの一つは、１９９１年１０月１日、Ｄｉｓｃｋｏ，Ｊｒ．に対して発行された特許文献２、発明名称“Ｓｙｒｉｎｇｅ  ａｎｄ  Ｄｉｓｐｏｓａｂｌｅ  Ｃａｐｓｕｌｅ  ｗｉｔｈ  Ｃａｎｎｕｌａ  ｆｏｒ  Ｕｓｅ  Ｔｈｅｒｅｗｉｔｈ”において開示されている。この特許では、歯科用材料の正確な配置を可能にする、金属製カニューレを備える歯科用材料を分注するためのカプセルが開示されている。
【特許文献２】米国特許第５，０５２，９２７号明細書
【０００５】
先端の別の応用は、１９９９年３月２日、Ｄｒａｇａｎら対して発行された特許文献３、発明名称“ＭｉｃｒｏＡｓｐｉｒａｔｏｒ”において開示されている。この特許では血液、組織屑片および液体を狭い手術部位周囲から除去するための柔軟なチューブ上に配置される吸引先端が開示されている。
【特許文献３】米国特許第５，８７６，３８４号明細書
【０００６】
特定の応用のための別の歯科用カートリッジが２０００年１０月２４日、Ｄｒａｇａｎらに対して発行された特許文献４、発明名称“ＤｅｎｔａｌＣａｒｔｒｉｄｇｅ Ｈａｖｉｎｇ ａｎ ＡｔｔａｃｈａｂｌｅＤｅｌｉｖｅｒｙ  Ｐｏｒｔｉｏｎ”において開示されている。この特許では、本体部および金属製カニューレを備える送達部またはキャップを有する歯科用カートリッジまたはカプセルが開示されている。この歯科用カートリッジは、分注前の歯科用材料の第一の成分、典型的には粉末と液体成分の混和を可能にする。
【特許文献４】米国特許第６，１３５，７７１号明細書
【発明の概要】
【発明が解決しようとする課題】
【０００７】
これまでに開発されたこれらの歯科用器具はそれらの特定のまたは固有の応用領域において歯科医の歯科診療を容易にしたが、歯科診療を容易にするために特定の歯科用材料専用の送達システムの開発が引き続き求められている。いくつかの歯科用材料が金属に対して反応性または腐食性であることが、金属製カニューレを用いて正確な配置を行うためにデザインされた単位用量カプセル内にこれらの歯科用材料を貯留しておく際の問題をもたらしている。いくつかの歯科用材料、例えば金属と反応する可能性のある化学物質を含有する材料は、貯留および分注が困難である。例えば、塩化アルミニウムが歯科用材料の成分として使用される場合がある。塩化アルミニウムは、比較的長期間にわたり金属と接触するまたは金属に近接する状態に維持された場合に金属と反応する。金属製カニューレと反応する可能性がある歯科用材料が保持された金属製カニューレを有する単位用量容器の使用には引き続き問題が存在している。結果として、歯科用材料が使用不能となったり、または変色もしくは要望通りの性能を発揮できないなどの望ましくない影響の原因となる可能性がある。従って、金属製カニューレを用いて正確に分注されうる反応性を示す可能性のある単位用量の歯科用材料の貯留を可能にする、専用の送達システムが必要とされている。
【課題を解決するための手段】
【０００８】
本発明は、歯科用材料との反応が阻止される金属製カニューレを使用して歯科用材料を正確に分注するための送達システムを提供する。長時間の接触後に金属と反応する可能性のある歯科用材料を含有する材料カプセルは、封止された送達先端連結終端部を有する。送達先端連結終端部の封止を解除した際、金属製カニューレを有する送達先端がその場所に堅固に取り付けられる。材料カプセルは、長時間接触することなしに金属製カニューレを介して歯科用材料を分注するためのシリンジ内に配置される。送達先端は、スナップフィットまたはねじ接続によって材料カプセルに取り付けられてよい。
【０００９】
別の実施形態では、材料カプセルは、狭小化する材料ボア移行部および材料送達口を備える材料ボアを有する。材料カプセルは、金属製カニューレを有する雄ねじ型送達先端を受容するための雌ねじを有する外側材料カプセル開口部面に終わる拡張化する外側材料カプセル移行部も有する。
【００１０】
本発明の目的は、歯科用材料が送達システムの材質と反応するのを阻止することである。
【００１１】
本発明のさらに具体的な目的は、歯科用材料が金属製カニューレと反応するのを阻止するため、金属製カニューレと長時間接触または近接状態となることを阻止することである。
【００１２】
本発明のさらに別の目的は歯科診療を容易にすることである。
【００１３】
本発明の別の目的は、カニューレを有する送達先端に容易に固定される材料カプセルを提供することである。
【００１４】
本発明の利点は、歯科用材料がカプセルまたは送達先端と反応することなしに長時間にわたり単位用量容器内に貯留されることである。
【００１５】
本発明の別の利点は、歯科用材料が金属製カニューレと接触するまたは近接する状態を阻止し、歯科用材料の反応または汚染を防ぐことである。
【００１６】
本発明のさらに別の利点は、材料カプセルに送達先端を取り付けるために材料カプセルが容易に保持されうることである。
【００１７】
本発明の特徴は、金属製カニューレが歯科用材料の分注前に歯科用材料と接触しないよう分離されていることである。
【００１８】
一実施形態における本発明の別の特徴は、材料カプセルが送達先端連結終端部に隣接するスナップオフ型の封止を有していることである。
【００１９】
本発明のさらに別の特徴は、送達先端を材料カプセル上に堅固に保持するための各種の手段が提供されることである。
【００２０】
本発明の別の特徴は、開口部に隣接する外側材料カプセル面上にグリップが形成されることである。
【００２１】
本発明の別の特徴は、半径方向に増大化する外側移行部が材料ボアの終端と送達先端外面の間に延在し、半径方向に狭小化する材料ボア移行部が材料ボアの終端と材料ボア口の間に延在することである。
【００２２】
これらおよびその他の目的、利点、および特徴は以下に記載する詳細な説明を考慮することによりさらに容易に明らかになるであろう。
【図面の簡単な説明】
【００２３】
【図１】は、送達先端が取り付けられていない本発明の送達システムの斜視図である。
【図２】は、送達先端が取り付けられていない本発明の一実施形態の側面図である。
【図３】は、図２に記載の実施形態の断面図である。
【図４】は、送達先端が取り付けられていない本発明の別の実施形態の側面図である。
【図５】は、図４に記載の実施形態の断面図である。
【図６】は、送達先端の実施形態の斜視図である。
【図７】は、図６に記載の送達先端の側面図である。
【図８】は、スナップオンキャップを使用する本発明の一実施形態の縦断面図である。
【図９】は、材料カプセルおよび取り付けられた送達先端を示す部分断面側面図である。
【図１０】は、雄ねじ型送達終端部を有する材料カプセルおよび取り付けられた送達先端を示す部分断面側面図である。
【図１１】は、雌ねじ型送達終端部を有する材料カプセルおよび取り付けられた送達先端を示す部分断面側面図である。
【図１２】は、材料カプセルおよび取り付けられた万能ねじ型キャップを有する本発明の一実施形態の縦断面図である。
【図１３】は、ブレイクアウェイタブおよび雄ねじ型送達終端部を有する本発明の別の実施形態の縦断面図である。
【図１４】は、ブレイクアウェイタブおよび雌ねじ型送達終端部を有する本発明の別の実施形態の縦断面図である。
【図１５】は、材料カプセルおよびルアーロックタイプ接続部を有する取り付けられた送達先端を示す部分断面側面図である。
【図１６】は、半径方向に増大化する外側材料カプセル移行部および送達先端を受容するためのルアーロックタイプ接続部を有する本発明の別の実施形態の斜視図である。
【図１７】は、図１６に記載の実施形態の側面図である。
【図１８】は、図１６のライン１８―１８に沿った示した断面斜視図である。
【図１９】は、送達先端を取り付けた状態の図１６に記載の実施形態の側面図である。
【発明を実施するための形態】
【００２４】
図１は、本発明の送達システムおよびカプセルを示す斜視図である。シリンジ１０は、レバー１２およびバレル１８内に相互的に設置されるピストン１６を有する。レバー１２により、シリンジ１０は粘稠性の歯科用材料の分注を可能にする機械的利点を有することになる。バレル１８内に形成されたブリーチ２０は、その内部にショルダー２２および側壁２４を形成している。側壁２４は柔軟であってよく、材料カプセル２６の周囲にスナップフィットを提供する。材料カプセル２６は、ブレイクアウェイタブ３２が付与された状態で示されている。シリンジ１０は、参照することにより本願明細書に引用したものとする米国特許第５，４８９，２０７号にて開示されているシリンジと類似していてよい。
【００２５】
図２は、材料カプセル２６の特徴をより明確に示す側面図である。材料カプセル２６は外側フランジ２８を有する。外部ショルダー３０はフランジ２８に隣接して形成される。切り込みまたはウェブ３４はブレイクアウェイタブ３２と材料カプセル２６の間に形成される。材料カプセルおよびブレイクアウェイタブ３２は好ましくはプラスチック製である。
【００２６】
図３は、材料カプセル２６の内部構造をより明確に示す。材料カプセル２６はプラグまたはピストン４８によって一端が封止されている。プラグまたはピストン４８は材料ボア３８内で摩擦により圧着していてよい、または先進させた場合に容易に打壊され解離するよう材料ボア内に超音波溶接されていてよい。すなわち、ピストン４８は所定の位置に保持されるが、望ましい場合に反応性歯科用材料を分注するために打壊されて遊離してよい。
【００２７】
歯科用材料３９は材料カプセル２６内に保持される。内側に角度のついた移行部４２は、材料カプセル２６の送達終端部に隣接する送達用ボア４０となるように直径が小さくなっていく。送達終端部は、内部ショルダー４６を形成する内部フランジ４４を有する。空間３６は、材料カプセル２６からタブ３２が打壊されて除去され、開口部を形成し、その内部に保持されている材料３９を露出させうるようにウェブ３４が形成されるのを可能にする。
【００２８】
歯科用材料は、金属に対する反応性または腐食性を有する、塩化アルミニウムなどの化学物質を含有する可能性がある。歯科用材料は、分注または送達先端カニューレ材と反応する可能性のあるあらゆる歯科用材料であってよい。使用される可能性のあるその他の腐食性材料には、硫酸アルミニウムカリウム、硫酸アルミニウム、硫酸鉄、硫酸アンモニウムアルミニウムまたはミョウバン、塩化鉄、塩化ナトリウム、塩化亜鉛などがある。好ましくは、歯科用材料は歯の周囲から歯肉組織を圧排するために使用される圧排用材料である。圧排用材料はクレイベースの圧排用材料であってよい。例えば、歯科用材料はホワイトクレイまたはカオリンおよび塩化アルミニウムを含有していてよい。
【００２９】
図４および図５は、わずかに修正された材料カプセル１２６を示す。材料カプセル１２６は、外部ショルダー１３０を形成する外側フランジ１２８を有する。ブレイクアウェイタブ１３２はウェブ１３４によって材料カプセル１２６に取り付けられている。材料ボア１３８は内側に角度のついた移行部１４２を有し、続いて送達用ボア１４０となる。空間１３６は送達終端部に隣接して形成され、ウェブ１３４の形成を可能にする。内部フランジ１４４は内部ショルダー１４６を形成する。
【００３０】
図６および図７は送達先端５６を示す。送達先端５６は、リブ６２を有する本体部５８を含む。本体部５８およびリブ６２は好ましくはプラスチック製である。金属製カニューレ６０が一端に形成される。送達先端連結終端部６６がもう一端に形成される。フランジ６４は送達先端連結終端部６６に隣接して配置される。送達先端連結終端部６６は、ショルダー６８、平坦部７０および、角度付き部分７２を有する。図５に記載のブレイクアウェイタブ１３２を除去した際、送達先端連結終端部６６を内部フランジ１４４によって形成される開口部へ挿入することにより、材料カプセル１２６に送達先端５６を設置してよい。送達先端連結終端部６６のショルダー１６８は、材料カプセル１２６の内部ショルダー１４６と嵌合する。従って送達先端５６は、その内部に保持されている材料が分注されるときに、材料カプセル１２６に堅固に接続されている。送達先端５６をこのように材料カプセル２６から分離することにより、材料カプセル１２６内に保持されている材料が金属製カニューレ６０に長時間にわたり接触する状態が阻止される。従って、材料が金属製カニューレ６０と接触する時間は比較的短いものに過ぎず、あらゆる汚染または腐食作用が著しく抑制される。
【００３１】
図８は、スナップオンキャップ７４を用いた本発明の一実施形態を示す。スナップオンキャップ７４は、ブレイクアウェイタブが除去され、材料カプセル２６を再度封止することが望ましい場合にブレイクアウェイタブの代わりに、またはブレイクアウェイタブと併せて用いられてよい。スナップオンキャップ７４は、ハンドル７５およびキャップ連結終端部７６を有する。キャップカバー部７７はスナップオンキャップ７４を所定の位置に保持し、材料カプセル２６を封止するのに役立つ。角度付き部分８２ならびにショルダー７８および内部フランジ４４および平坦部８０の組み合わせは、スナップオンキャップ７４が所定の位置に堅固に保持され、材料カプセル２６の開口部が封止される状態を確保する。
【００３２】
図９は、材料カプセル２６に金属製カニューレ６０が取り付けられた状態の送達先端５６を示す。送達先端５６の送達先端連結終端部６６は、材料カプセル２６上に形成される内部フランジ４４と堅固に嵌合する。ピストン４８を先進させると、歯科用材料３９は金属製カニューレ６０を通って送達先端５６から押し出されるまたは吐出される。歯科用材料３９を使用する直前に材料カプセル２６の封止を解除し、その場所に送達先端５６を配置できることにより、歯科用材料３９と金属製カニューレ６０との長時間の接触を阻止する。これにより、歯科用材料と金属製カニューレ６０の長時間の接触が原因で腐食または反応が生じる可能性が阻止される。このことは、いくつかの反応性歯科用材料の性能の大幅な向上につながる。
【００３３】
図１０は、材料カプセル２２６から送達先端が分離するのを防ぐために、粘度の高いまたは粘稠性の歯科用材料とともに使用する場合に用いることができる本発明の別の実施形態を示す。この実施形態では、フランジ２２８およびプラグ２４８を有する材料カプセル２２６は、送達先端２５６の雌ねじ型先端連結終端部２６６と嵌合する雄ねじ型終端部２４４を有する。従って比較的粘稠性の歯科用材料３９がカニューレ２６０を介して押し出された場合に、ねじ型送達先端２５６をねじ型材料カプセル２２６から分離する原因となることはない。
【００３４】
図１１は、雌ねじ型終端部３４４を有する別の実施形態を示す。雌ねじ型終端部３４４は、外側フランジ３２８およびプラグまたはピストン３４８を有する材料カプセル３２６の開口端内に形成される。送達先端３５６は、雌ねじ型終端部３４４と嵌合する雄ねじ型先端連結終端部３６６を有し、堅固な接続を提供する。従って、プラグまたはピストン３４８を先進させることにより金属製カニューレ３６０を通って押し出される粘稠性の歯科用材料３９が、送達先端３５６と材料カプセル３２６の分離をもたらすことはない。
【００３５】
図１２は、万能ねじ型キャップ２７４を使用する一実施形態を示す。万能キャップ２７４は、ハンドル２７５および雌ねじ型キャップコネクタ２７６および雄ねじ型キャップカバー２７７を有する。万能ねじ型キャップ２７４は、材料カプセル２２６の雄ねじ型終端部２４４または材料カプセル３２６上に形成される雌ねじ型終端部３４４のいずれに使用されてもよい。万能ねじ型キャップ２７４は、ブレイクアウェイタブの代わりにまたはブレイクアウェイタブと併せて使用されてよい。
【００３６】
図１３は、材料カプセル４２６が一端に外側フランジ４２８を有し、もう一端にブレイクアウェイタブ４３２と結合された雄ねじ型先端終端部４４４を有する別の実施形態を示す。この実施形態では、ブレイクアウェイタブ４３２を除去して、図１０に示すような開口部とその場所に配置される雌ねじ型送達先端２５６を形成してよい。
【００３７】
図１４は、材料カプセル５２６が一端に外側フランジ５２８を有し、もう一端に雌ねじ型先端終端部５４４を有する別の実施形態を示す。この実施形態では、ブレイクアウェイタブ５３２を除去して開口部を形成してよく、図１１に示すように雄ねじ型送達先端３５６は雌ねじ型先端終端部５４４に螺入されてよい。
【００３８】
図１５は、ルアーロックタイプ接続部を有する別の実施形態を示す。ルアータイプ接続部は、咬合する雄型および雌型のわずかに先細形状のチューブを有しており、堅固な嵌合を提供する。図１５は、外側フランジ６２８およびピストン６４８を一端に有し、雄型ルアーロックタイプ接続部６４４をもう一端に有する材料カプセル６２６を示す。送達先端６５６は、金属製カニューレ６６０を一端に有し、雌型ルアーロックタイプ接続部６６０をもう一端に有する。
【００３９】
図１６―１８は、図１５に示す実施形態と類似する本発明の別の実施形態を示す。材料カプセル７２６は、外側フランジ７２８および外側材料カプセル面７３７を有する。外側材料カプセル面７３７に隣接するのは、外側材料カプセル開口部面７４３へと延在する半径方向に増大化する外側材料カプセル移行部７４１である。外側材料カプセル開口部面７４３上にはグリップ７６３が配置されている。外側材料カプセル開口部面７４３の内面には雌ねじ７４４が配置されている。雌ねじ７４４は、図１５に記載の送達先端６５６などの送達先端上の雄ねじを受容するよう適合される。材料カプセル開口部７４７からは材料送達口７４５が延在する。図１７に示すように、この材料送達口７４５は、材料カプセル開口部７４７を越えて延在する外部送達先端面７５１を有する。
【００４０】
図１８は、材料カプセル７２６の内部をより詳細に示す断面斜視図である。この図では、直径が一定の材料ボア７３８から半径方向に狭小化する材料ボア移行部内面７４２への移行が明確に示されている。材料カプセル７２６は、材料を受容するための入口端およびこれまでの図で示されているような外側フランジ７２８に隣接するプラグまたはピストン、半径方向に狭小化する材料ボア移行部内面７４２に隣接する反対側の分注端を有する。半径方向に狭小化する材料ボア移行部内面７４２は、材料送達口７４５に開口する材料送達用ボア７４０まで延在する。材料カプセル７２６のこの実施形態では、直径が一定の材料ボア７３８から半径方向に狭小化する材料ボア移行部内面７４２を経て材料送達口７４５へと滑らかな移行が存在している。材料カプセル７２６の側壁は、材料ボア７３８の終端部と半径方向に増大化する外側材料カプセル移行部７４１の起始部を、分岐した側壁尖部７５３の位置でおおよそ隣接するように分割する。従って、半径方向に狭小化する材料ボア移行部外面７４９は、半径方向に増大化する外側材料カプセル移行部７４１と分岐して、その間に半径方向に寸法が増大する間隙を形成し、分岐した側壁尖部の反対側に材料カプセル開口部７４７を形成する。雌ねじ７４４は、材料カプセル開口部内面７６５上に形成され、雌型ルアーロックタイプ終端部を有する送達先端と嵌合するよう適合される。
【００４１】
この実施形態は、材料ボア７３８内に保持された粘稠性の歯科用材料の分注を改善する。例えば、歯科用材料は、塩化アルミニウムおよびカオリンクレイを含有するクレイベースの歯肉圧排用ペーストであってよい。好ましくは圧排用ペーストは１５パーセントの塩化アルミニウムを含有する。圧排用ペーストは材料ボア７３８内に装填され、図１５に示すような外側フランジ７２８に隣接するプラグを用いて封止され、材料送達口７４５は図８および１２に示すような取り外し可能なキャップを用いて封止される。次いで材料カプセル７２６は、金属製カニューレを有する送達先端から分離されるように封止されたホイルパッケージ内に装填されてよい。これにより、腐食作用を示す可能性のある塩化アルミニウムが一定期間にわたり金属製カニューレと反応する状態が阻止される。
【００４２】
材料カプセル７３６内の材料は、材料カプセル７３６を図１に示されるようなシリンジ１０にセットすることによって容易に分注される。取り付けられた送達先端を通って材料送達口７４５から粘稠性の歯科用材料を押し出すために、これまでの図に示すようなプラグまたはピストンが材料ボア７３８に設置される。
【００４３】
図１９は、送達先端７５６が取り付けられた状態の材料カプセル７３６を用いる送達用材料カプセルシステムを示す側面図である。送達先端７５６は、本体７５８および金属製カニューレ７６０を有する。金属製カニューレ７６０は延性のものまたは容易に曲がるものであってよい。送達先端７５６はあらゆるタイプのアタッチメントによって材料カプセル７２６に取り付けられてよいが。好ましくは材料カプセル７２６に螺入される。グリップ７６３は、送達先端７５６の材料カプセル７２６への螺入を著しく容易にする。
【００４４】
従って、本発明の各種の実施形態は全て、封止された材料カプセル内に分離され、歯科用材料を患者の口腔内に正確に配置するために使用される金属製カニューレとの長時間の接触が阻止される腐食性または反応性を示す可能性がある歯科用材料を提供する。腐食性または反応性を示す可能性がある歯科用材料の金属製カニューレとの直接的な接触が阻止されるだけでなく、腐食性または反応性を示す可能性のある歯科用材料の金属製カニューレとの近接状態が阻止され、好ましくは同じパッケージ内に封入されないことが望ましい。例えば、歯科用材料を保持する材料カプセルは、金属製カニューレを備える送達先端から分離するように封止されたパウチ内に包装されてよい。さらに、材料カプセルに超音波溶接されたピストンまたはプラグを有する実施形態は、腐食性または反応性を示す可能性のある歯科用材料由来の腐食性のガスの漏出を防ぐのに有利であるかもしれない。金属製カニューレは、腐食性または反応性を示す可能性のある歯科用材料から発生する可能性がある揮発性のガス成分との長時間の接触または近接状態を回避する必要がある。従って、本発明は、反応性または腐食性歯科用材料と一緒に使用されうる単位用量材料分注システムを大幅に改善する。従って本発明は、結果の改善を提供し、歯科診療を容易にする。
【００４５】
いくつかの実施形態に関して本発明を説明したが、本発明の精神と範囲から逸脱することなしに各種の修正を行ってよいことが容易に理解されるはずである。
【図１】
0005960241.tif 000002
【図２】
0005960241.tif 000003
【図３】
0005960241.tif 000004
【図４】
0005960241.tif 000005
【図５】
0005960241.tif 000006
【図６】
0005960241.tif 000007
【図７】
0005960241.tif 000008
【図８】
0005960241.tif 000009
【図９】
0005960241.tif 000010
【図１０】
0005960241.tif 000011
【図１１】
0005960241.tif 000012
【図１２】
0005960241.tif 000013
【図１３】
0005960241.tif 000014
【図１４】
0005960241.tif 000015
【図１５】
0005960241.tif 000016
【図１６】
0005960241.tif 000017
【図１７】
0005960241.tif 000018
【図１８】
0005960241.tif 000019
【図１９】
0005960241.tif 000020